(57)【要約】      （修正有）【課題】鉱物油はもちろん、鋼板表面に付着した磨耗粉や埃などの付着物を同時に除去できる洗浄剤組成物を提供する。【解決手段】（Ａ−１）炭素数１０から１８の直鎖又は分岐鎖のアルキルを有する陰イオン界面活性剤あるいは（Ａ−２）炭素数１０から１８の直鎖又は分岐鎖のアルキルを有する両性界面活性剤、（Ａ−３）炭素数１０から１８の直鎖又は分岐鎖のアルキルを有する非イオン界面活性剤の中から少なくとも２種以上含有し、（Ｂ）グリコール溶剤を含有する事からなる洗浄剤組成物。【選択図】なし【特許請求の範囲】
【請求項１】
（Ａ−１）炭素数１０から１８の直鎖又は分岐鎖のアルキルを有する陰イオン界面活性剤あるいは（Ａ−２）炭素数１０から１８の直鎖又は分岐鎖のアルキルを有する両性界面活性剤、（Ａ−３）炭素数１０から１８の直鎖又は分岐鎖のアルキルを有する非イオン界面活性剤の中から少なくとも２種以上含有し、（Ｂ）グリコール溶剤を含有する事からなる洗浄剤組成物。
【請求項２】
発泡洗浄に供し、鋼板の脱脂に使用される請求項１に記載の洗浄剤組成物。
【発明の詳細な説明】
【技術分野】
【０００１】
本発明は、塗装前の脱脂洗浄剤組成物に関し、さらに詳しくは、洗浄性に優れるとともに、発泡洗浄に供され、少量の薬剤使用量で好適に塗装前脱脂洗浄に用いることができる。
【背景技術】
【０００２】
塗装前処理の脱脂には、いわゆる洗浄シンナーと称される、トルエン、キシレンなどの溶剤を主成分とし、揮発性有機化合物が多く含有された薬剤が用いられる。例えば、特許文献１では、トルエンを主とし活性メチレン含有有機化合物とオキシムを有効成分とする配合が報告されている。
【０００３】
水系洗浄剤を用いる場合、ケイ酸塩、界面活性剤を主成分としたアルカリ性の洗浄剤で、加温浸漬洗浄を行うのが一般的である。新たに浸漬槽を設備する必要がある。
【０００４】
上述の例としては、２種以上のアルカリビルダー及び非イオン系界面活性剤からなる脱脂剤であって、前記２種以上のアルカリビルダーは、少なくとも１種類のアルカリケイ酸である配合が、特許文献２に報告されている。
【０００５】
界面活性剤あるいは、アミンを含有した洗浄剤組成物は、ベタイン型界面活性剤とシクロヘキシルアミン系化合物及び／又はフェニルエーテル系化合物を有効成分とする配合が特許文献３に報告されている。
【０００６】
さらに、モノアルキルアミン又はＮ−アルキルプロピレンジアミンのポリアルキレン及びモノアルキルアミドのポリオキシエチレン付加物からなる群より選択される少なくとも１種と、アルキルジメチルアミンオキサイド、アルキルジ（アミノメチル）グリシン、直鎖ドデシルベンゼンスルホン酸ナトリウム、及びラウリルジメチルアミノ酢酸ベダインからなる群より選択される少なくとも１種と、を含む配合が報告されている特許文献４がある。
【特許文献１】特開２００２−２６５１９５
【特許文献２】特開２００５−３２０５９８
【特許文献１】特開平５−２４７６７８
【特許文献１】特開２００３−１１９４９６
【発明の開示】
【発明が解決しようとする課題】
【０００７】
鉱物油はもちろん、鋼板表面には加工時に生じた磨耗粉や埃などが付着しており、これら付着物も洗浄剤で同時に除去できる洗浄剤組成物を目標とする。
【課題を解決するための手段】
【０００８】
本発明者らは、（Ａ−１）、（Ａ−２）、（Ａ−３）のうちから選ばれた界面活性剤の組み合わせのうち、水素イオン濃度によって脱脂に好適な組み合わせが異なることを見出した。
【０００９】
また、（Ｂ）グリコール溶剤を配合することによって、泡の形態が良好となることを見出した。
【００１０】
本発明は、上記の知見により導き出されたものであり、下記項１から項２に示す洗浄剤組成物を提供する。
項１.（Ａ−１）炭素数１０から１８の直鎖又は分岐鎖のアルキルを有する陰イオン界面活性剤あるいは、
（Ａ−２）炭素数１０から１８の直鎖又は分岐鎖のアルキルを有する両性界面活性剤、
（Ａ−３）炭素数１０から１８の直鎖又は分岐鎖のアルキルを有する非イオン界面活性剤の中からを少なくとも２種以上含有し、
（Ｂ）グリコール溶剤を含有する事からなる洗浄剤組成物。
求項２．発泡洗浄に供し、鋼板の脱脂に使用される項１に記載の洗浄剤組成物。
【発明の効果】
【００１１】
本発明の洗浄剤組成物は（Ａ−１）陰イオン界面活性剤あるいは（Ａ−２）両性界面活性剤、（Ａ−３）非イオン界面活性剤の中から少なくとも２種以上含有し、（Ｂ）グリコール溶剤を含有することにより、鉱物油はもちろん、鋼板表面に付着した磨耗粉や埃なども同時に除去できる性能を有する。
【発明を実施するための最良の形態】
【００１２】
本発明の洗浄剤組成物は、
（Ａ−１）炭素数１０から１８の直鎖又は分岐鎖のアルキルを有する陰イオン界面活性剤、
（Ａ−２）炭素数１０から１８の直鎖又は分岐鎖のアルキルを有する両性界面活性剤、
（Ａ−３）炭素数１０から１８の直鎖又は分岐鎖のアルキルを有する非イオン界面活性剤、
から少なくとも２種以上含有し、
（Ｂ）グリコール溶剤を含有することからなるものである。以下、各成分について説明する。
【００１３】
（Ａ）成分
（Ａ−１）成分は、アルキル硫酸塩、アルキルベンゼン硫酸塩、アルキルポリエチレンオキサイドエーテル硫酸塩、アルキルポリエチレンオキサイド酢酸塩など、
（Ａ−２）成分は、アルキルジメチルアミンオキサイド、アルキルジメチル酢酸ベタイン、アルキルジプロピル酢酸ベタイン、アルキルイミダゾリニウムベタイン、アルキルジ（アミノメチル）グリシンなど、
（Ａ−３）成分は、アルキルグルコシドなど、が挙げられるが、これらの成分のなかから、２種以上を選択し使用してよい。
【００１４】
（Ｂ）成分
（Ｂ）成分は、ブチルジグリコール、エチルジグリコール、メチルジグリコール、プロピルジグリコール、などが挙げられるが、これらの成分のなかから、１種単独で使用しても良いし、２種以上を選択し使用してよい。また、これらの配合量は１％程度の少量の配合で、泡の形態を改善できる。
【００１５】
本発明の洗浄剤組成物は、鉱物油はもちろん、鋼板表面付着した磨耗粉や埃などの洗浄に、好適であるとともに、発泡形態で使用することにより、薬剤使用量が少なく経済的である。加えて、大気中へ放出される揮発性有機化合物をほとんど含まないこと、薬剤使用量が少ないため環境への薬剤排出量が少なくなるなど、経済性や環境側面からの利点も有る。
【実施例】
【００１６】
以下、本発明の実施例を記載して、より具体的に説明する。ただし、本発明はこれらの実施例に何ら限定されるものではない。
【００１７】
表1に従い混合し、必要があれば過熱して溶解し配合組成物を得た。
【００１８】
実施例１から４及び比較例１から７に関して表１中に示す「％」は重量％を表す。
【表１】
2009203436.tif 000002
【００１９】
実施例及び比較例で用いた原料の詳細を表２に示す。
【表２】
2009203436.tif 000003
【００２０】
上記実施例１から４及び比較例１から７に関して下記に従って、ｐＨ、脱脂性、実機試験、発泡性を試験した。
【００２１】
＜ｐＨ＞
・    
薬液５％溶液の水素イオン濃度を、ｐＨ計で測定する
【００２２】
＜脱脂性＞
・    
油溶性色素（ズダン）０．１％を含有する流動パラフィンを溶剤で脱脂したＳＰＣＣ鋼板（２５ｍｍ×５０ｍｍ）に塗布する
・    
薬液５％溶液に、鋼板を浸漬し、１０分間静置する
・    
処理後、鋼板を取り出して、自然乾燥する
・    
鋼板の残る油をクロロホルムで洗い流し、メスアップする
・    
クロロホルム溶液の呈色の程度で判断する（対照は、トルエンで脱脂を行ったサンプル）
・    
対照よりも呈色が弱い場合◎、対照と同程度の場合○、対照よりも呈色が強い場合×とする
【００２３】
＜実機試験＞
・    
塗装前の鋼材の脱脂を顧客にて行う
・    
金属粉がほぼ除去する場合◎、やや除去する場合○、除去できない場合×とする
【００２４】
＜発泡性＞
・    
図１に示す簡易発泡洗浄装置で、薬液５％溶液を噴霧する
・    
泡の外観で判断する
・    
泡の形状が良い場合◎、泡の形状がやや良い場合○、泡の形状が悪い場合×とする
【表３】
2009203436.tif 000004
【００２５】
＜結果と考察＞
表３より明らかな通り（Ａ−１）陰イオン界面活性剤、（Ａ−２）両性界面活性剤、（Ａ−３）非イオン界面活性剤、のなかから選ばれた少なくとも２種以上含有の界面活性剤の組み合わせにより、水素イオン濃度によって脱脂に好適な組み合わせが異なる。また、（Ｂ）グリコール溶剤を配合することによって、泡の形態が良好となることがわかる。
【産業上の利用可能性】
【００２６】
本発明の洗浄剤組成物は、鉱物油はもちろん、鋼板表面に付着した磨耗粉や埃などの付着物を同時に除去できる。
【００２７】
本発明は、鋼材の脱脂のみではなく、鉱油が飛散する金属加工工場や自動車整備工場の床や壁、金属加工機械などの洗浄にも応用が可能であると考えられる。さらに、薬剤使用量が少ないため環境への薬剤排出量が少なくなるなど、経済性や環境側面からも洗浄に適し、水による洗浄が難しい箇所の洗浄にも適している。
【図面の簡単な説明】
【００２８】
【図１】発泡性を確認するため、用いた簡易発泡洗浄装置の外観図を添付する。
【図１】
2009203436.tif 000005